(57)【要約】【課題】  簡易な構造で、頭部に装着するイヤホン及びメガネ等の身体装着を不快感なく位置ズレ及び脱落しない、装着法及び機器構造。【解決手段】  耳殻の軟骨を永久磁石の磁力を透過させて挟み込み、機器装具に固定した磁石と耳殻外部の磁石の相互吸引力によって耳殻に固定位置決めする。また、機器付随コードにも磁石部を設けて、磁石の同士の吸着によりコード及び機器の相対浮動を抑止して収納時のコードの絡まりを防止する。また、メガネにあってはツル自身を簡素化して耳殻に位置決めしてズレ脱落を防止した。【選択図】図１
2011023974.tif 000002
【特許請求の範囲】
【請求項１】
人体頭部に装着して利用する機器装具において、永久磁石の磁力を耳殻軟骨部を透過させて耳殻に機器及び装具を強固に装着する、磁力による耳殻装着法および装具。
【請求項２】
人体頭部に装着して利用する機器装具において、耳殻面に平行にＮ極とＳ極を配置した永久磁石または磁気回路を用いてＮ極とＳ極を同一面として耳殻両面より吸着させる事により、吸着磁石の発生磁力線の漏洩が少なく、より強力な吸着力となる磁極の配列を持つ、磁力による耳殻装着法および装具。
【請求項３】
人体頭部に装着して利用する音響出力機器筐体に永久磁石を固着または内装して、耳殻外面より磁石にて吸着固定することを特徴とする、磁力による耳殻装着法および装具。
【請求項４】
人体頭部に装着して利用する音響遮断部材に永久磁石を固着または内装して、耳殻外面より磁石にて吸着固定することを特徴とする、磁力による耳殻装着法および装具。
【請求項５】
人体頭部に装着して利用するメガネのツル端部に永久磁石を固着または内装して、耳殻外面より磁石にて吸着固定することを特徴とする、磁力による耳殻装着法および装具。
【請求項６】
人体頭部に装着して利用する機器装具において、吸着用永久磁石を耳殻に機械的に固定して、脱着容易に耳殻に機器及び装具を強固に装着する、磁力による耳殻装着法および装具。
【請求項７】
人体頭部に装着して利用する音響出力機器に付随する信号線に間隔をもって複数の永久磁石を固着し、その磁力により信号線同士及び耳殻に吸引固定される、磁力による耳殻装着法および装具。
【発明の詳細な説明】
【技術分野】
【０００１】
本発明は、人体頭部に装着して利用する機器装具において、耳に装着して利用する機器及び器具の身体への装着法及び装具に関する物である。
【背景技術】
【０００２】
従来，耳に装着して利用する機器として、音楽等を聞くイヤホン及びヘッドホン、難聴を補助する補聴器があり、装具としてはメガネ及び耳栓などがあり、いずれも耳穴に差し込むか耳殻に掛ける方法であり、装着時に違和感があったり外れたりすることがあった。
【０００３】
また、耳朶を磁石で挟み込んで、装具等を装着する方法を採った物はあったが、耳朶は柔軟なため頭蓋に対する固定法としては位置決めが難しかった。
（たとえば特許文献１）    
【０００４】
【特許文献１】特開２００６−００６３９７号公報        マグネットピアス及びピアス装着装置
【発明の開示】
【発明が解決しようとする課題】
【０００５】
解決しようとする問題点は、簡易に違和感なく装着出来、耳殻に強固に位置決め可能とすることである。
【課題を解決するための手段】
【０００６】
本発明は、耳殻の軟骨部両面から永久磁石の吸引力にて挟み込み、機器及び装具を耳殻に強固に位置決め装着を可能とするものである。
【０００７】
請求項１において、永久磁石の磁力を耳殻軟骨部を透過させて耳殻に機器及び装具を強固に装着することにより、頭部頭蓋との位置ずれが小さく軟骨にて頭蓋と位置決めされるため、ある程度の質量に加速度が加わっても頭蓋との相対位置変動が小さくすることが可能となった。
【０００８】
図６にて、耳殻１の皮膚１ｂに覆われた軟骨１ａを装具磁石２と吸着磁石３の磁力にて挟みこみ磁力を透過させ、装具磁石２の位置を軟骨１ａを介して頭部頭蓋に固定することにより装具磁石２に装着される機器装具を頭蓋位置に固定する。
【０００９】
磁力を発生させる磁石は小型化する上では強力な磁力のネオジム磁石を用いると磁石を小型化でき、必要な磁力により、安価なフェライト磁石、変形可能なゴム磁石、必要形状を成形容易な樹脂磁石等の組み合わせで可能であり、強磁性体を磁石に吸着させることでも可能である。
【００１０】
請求項２において、耳殻面に平行にＮ極とＳ極を配置した永久磁石または磁気回路を用いてＮ極とＳ極を同一面として耳殻両面より吸着させる事により、吸着磁石の発生磁力線の漏洩が少なく、より強力な吸着力となる磁極の配列を持たせる。
【００１１】
永久磁石はＳ極とＮ極が引き合うが、耳殻１に対しＳ極とＮ極を対向して配置すると、耳殻１の反対側の磁極からでる磁力線は吸着力に寄与することなく外部に磁力が漏れるため電子回路に悪影響を及ぼす可能性もあり、磁石の吸引力が有効に利用できない。
【００１２】
このため、図６に示すように耳殻１面に対し、装具磁石２及び吸着磁石３のそれぞれの磁極をＳ極とＮ極を平行に配置することで対向する装具磁石２及び吸着磁石３のお互いのＳ極とＮ極がそれぞれ吸引して、同じ磁石で有効に磁力を利用でき磁気漏れも少なくなる。
【００１３】
また、図７に示すように、耳殻１面に対し、装具磁石２及び吸着磁石３のＳ極とＮ極の対向として、耳殻１の反対側の磁極からでる磁力線は磁性体１４を磁路として耳殻１面まで磁気回路で導いて磁石の磁気を耳殻１に高密度にて透過させることで磁気漏れを防ぐと共に磁力を有効利用する。
【００１４】
請求項３において、音響出力機器筐体に永久磁石を固着または内装して、耳殻外面より磁石にて吸着固定する。
【００１５】
音楽観賞等に用いるヘッドホン及び耳穴に挿入するイヤホン、また電気回路を含む補聴器などの音響出力機器筐体の耳殻１に接触する面に装具磁石２を固着または内装して、耳殻１の外側より吸着磁石３にて筐体４ｂを耳殻１に直接吸着させて耳穴に対して位置を固定する物である。
【００１６】
図１にて、耳穴挿入型のイヤホン４の筐体４ｂに装具磁石２を内装し、耳穴に近接する耳殻１のくぼみ面より耳殻１の外側から吸着磁石３にてイヤホン４を耳殻くぼみ部に固定する方法である。吸着磁石３は紛失防止のため信号線４ｃより柔軟な連結線５で結合してある。
【００１７】
音漏れを防ぐ必要のある場合は耳穴に接触する部分にシール機構を用いていれば容易に密閉型となり、耳穴から間隙をもって固定すれば開放型となる。
【００１８】
また、筐体４ｂは磁力により吸着されるので、形状保持のための剛性が余り必要とされなくなるため、柔軟な素材で構成されても良く、この場合筐体４ｂ自身の柔軟性で耳穴に対するシール性を持たせることも可能となる。
【００１９】
図２にては、音質重視等の用途にてヘッドホン６を耳殻１に固定する方法として、ヘッドホン６に耳殻１に接する位置に複数の装具磁石２を固定して、耳殻１の外側より複数の吸着磁石３により強固に位置決めする物である。
【００２０】
複数個の吸着磁石３を用いる場合は予め所定の位置となるように吸着アダプター７に固定する。また前述と同様に紛失防止のための連結線５にてヘッドホン６と連結してあっても、ヘッドホン６と吸着アダプター７を一体として吸着アダプター７を柔軟に変形するようにしてもよい。
【００２１】
また、携帯電話等にてハンズフリーに必要とされる小型マイクであれば、ヘッドホン６より軽量アームにて支持も可能であり、吸着アダプター７を耳殻１に予め接着しておけば、着脱も容易となる。
【００２２】
請求項４において、音響遮断部材に永久磁石を固着または内装して、耳殻外面より磁石にて吸着固定する。
【００２３】
図３にて、一般的な耳栓である遮音材８に耳殻１に接する面近くに装具磁石２を内装しておき、耳栓をした状態にて耳殻１の外側より吸着磁石３にて耳殻に吸着して遮音材８が移動しないように耳穴に対して固定する。
【００２４】
遮音材８と吸着磁石３は紛失防止のため連結線５にて繋がる構造である。
連結線５は就寝時耳と枕との接触圧にても不快な違和感のない柔軟な材質を選定するか、無くしてもよい。
【００２５】
また、遮音材８の形状は円筒または円錐形状であると吸着面の判断が付きにくいので、吸着面の反対側にくぼみを付けるなどして判断し易く、耳に押し込んでも磁力にて取り出しが出来るので装着時に耳からはみ出さないよう最小限の形状とすることが出来る。
【００２６】
請求項５において、メガネのツル端部に永久磁石を固着または内装して、耳殻外面より磁石にて吸着固定する。
【００２７】
図４にて、メガネ９のツル１０を耳に懸かる部分を端点として端点に装具磁石２を固定して、耳殻１の上部斜め前の耳殻形状が袋状に巻いている箇所に吸着磁石３を置き、両者を吸着してメガネ９のツル１０を耳殻１に固定する。
【００２８】
吸着磁石３は耳殻１の形状にあわせた形状の吸着体１１に内蔵させると磁力吸着させる前にも耳殻１に容易に保持可能となる。
【００２９】
吸着磁石３はツル１０端部に連結線５にて紛失防止のため連結されるが、吸着体１１を予め耳殻１に接着などの方法によって予め固定する場合などは連結線５はなくしてよい。
【００３０】
図５にて、弾性体によるツル１０に変わり、メガネレンズ１２より可撓性の連結材１３にて装具磁石２を介して耳殻１に装着する様体を示す。またツル１０には頭蓋を締める弾性力は必要ないので一方向のみ剛性を持つリボン状の柔軟な素材又は、リンクチェーンの様な一方向のみ剛性を持った構造を用いることが出来る。
【００３１】
また、連結材１３はメガネレンズ１２に２点の支持点をもって１点の装具磁石２による固定点とすることで、連結材１３の張力のみにより頭蓋に対してメガネレンズ１２の角度はメガネの鼻当てを支点として固定されるため、ツル１０の様に剛性は必要が無く、糸または紐または鎖状の物でメガネレンズ１２の固定が可能となる。
【００３２】
また、装具磁石２による固定点の位置誤差を吸収するために、連結材１３は伸張性をもつゴム様材質を用いる事で誤差および遊びを吸収させることも出来る。
【００３３】
請求項６において、吸着用永久磁石を耳殻に機械的に固定して、脱着容易に耳殻に機器及び装具を強固に装着する
【００３４】
図８にて、吸着磁石３を直接または固定金具１５に取り付けた針状突起を耳殻１に穿孔して固定し、耳殻１に機械的に固定された吸着磁石３に対して装具磁石２を脱着する方法である。
【００３５】
吸着磁石３を装飾具であるピアスと同じくして常時装着しておき、メガネ等の装具が必要な時に装具の装具磁石２を吸着磁石３に吸着させて装具を装着する。
【００３６】
また、ピアスの様に穿孔しなくとも耳殻１に装飾イヤリングの様に吸着磁石３をクリップ止めでも可能である。
【００３７】
請求項７において、信号線に間隔をもって複数の永久磁石を固着し、その磁力により信号線同士及び耳殻に吸引固定する。
【００３８】
図９にて、イヤホン４に付随する信号線４ｃの任意箇所に単独または複数のスライド磁石１７を固定またはスライドして線上の任意移動を可能として配置し、信号線４ｃの余り部分を信号線４ｃ同士および吸着磁石３に吸着させて不用意に移動しないように位置決めする。
【００３９】
また、磁石は信号線４ｃが磁力を保持できればよいので、信号線４ｃの外皮に磁性体紛を混練して着磁してもよい。
【００４０】
また、信号線４ｃにＣリング形状にて勘合して取り外し自在に装着しても良い。
【発明の効果】
【００４１】
以下に項目別に効果を説明する。
【００４２】
請求項１において、人体頭部に装着して利用する機器装具において、永久磁石の磁力を耳殻軟骨部を透過させて耳殻に機器及び装具を強固に装着することによる効果は、
【００４３】
１  装着により部分的な圧迫が小さく長時間の装着にも違和感が少なくなる。
２  位置のズレが生じ難く、長時間最適位置を保持することが出来る。
３  振動、外力によっても位置ズレ、機器装具の離脱が起きにくい。
４  機器装具の形状変化が起こっても、位置決め効果は失われない。
５  構造が単純で低コストである。
【００４４】
請求項２において、耳殻面に平行にＮ極とＳ極を配置した永久磁石または磁気回路を用いてＮ極とＳ極を同一面として耳殻両面より吸着させる事により、吸着磁石の発生磁力線の漏洩が少なくより強力な吸着力となる磁極の配列による効果は、
【００４５】
１  小さい磁石で大きな吸着力を得ることが出来る。
２  磁力の漏れが小さくなる
【００４６】
請求項３において、音響出力機器筐体に永久磁石を固着または内装して、耳殻外面より磁石にて吸着固定することの効果は、
【００４７】
１  従来の構造に追加して利用することが出来る。
２  激しい運動、汗などでも機器が外れることがなくなる。
３  耳掛け、または耳穴の圧迫なく機器を利用できるので、痛みや違和感が無くなる。
４  外部音の遮断、開放が装着具合で調整でき、また調整位置を長時間保持できる。
５  筐体を柔軟な素材を用いて、イヤーパッドの気密機構と一体構造とすることができ製造コスト低減と取り扱いが楽になる。
６  大型のドライバーユニットでも磁力装着可能となるので、左右の継ぎ部品が不要となり、機器の小型軽量化が図れる。
７  ステレオ型イヤホンの携帯時に、左右のイヤホンが磁力で吸着されるため、コードの絡まりが生じにくく、またイヤホンが同時携帯する磁性体に吸着すると、さらにコードの絡まりが生じにくくなる。
８  収納時に周囲の磁性体にて出来た家具等に吸着させて容易に保管でき、保管時のコードの絡まりが生じにくい。
【００４８】
請求項４において、音響遮断部材に永久磁石を固着または内装して、耳殻外面より磁石にて吸着固定することの効果は、
【００４９】
１  就寝時寝返りして枕で耳が圧迫されても違和感を生じない。
２  耳栓の脱落が起きにくい。
３  耳栓の取り外し時に耳栓が奥まで挿入されてしまっても、磁力で取り出しが容易に出来る。
４  耳からつまみ出す部分が不要となるため耳栓自体を小型化できる。
５  収納時は左右を吸着しておけば紛失する可能性が低くなる。
６  遮音しないときも、耳に装着しておけるので紛失防止になる。
【００５０】
請求項５において、メガネのツル端部に永久磁石を固着または内装して、耳殻外面より磁石にて吸着固定することの効果は、
【００５１】
１  メガネのツルが耳殻に懸からないので長時間装着しても特定点が痛くならない。
２  メガネの構造が頭蓋を締める弾性力を必要としないので、フレームの強度が少なくてよくなる。
３  メガネのツルが耳の懸かり部分が不要となり短く軽量化でき、ツルの形状調整も容易となる。
４  メガネのツルを紐状にて作製ができ、レンズの継ぎ部と鼻当て部以外のフレームを無くすことが出来、軽量化と共にコスト低減が可能となる。
５  レンズ継ぎ部を折り曲げ可能にして、ツルを紐状とすれば、ほぼレンズ一枚分の面積に折りたたみ収納が容易に可能となる。
６  激しい運動などで汗をかいても、メガネがずれなくなる。
７  メガネを外しておいておく場合、磁力にて磁性体に吸着させて保管でき一時保管時にレンズの疵防止が計れる。
【００５２】
請求項６において、吸着用永久磁石を耳殻に機械的に固定して、脱着容易に耳殻に機器及び装具を強固に装着することの効果は、
【００５３】
１  メガネなどを常時着用する場合は、着脱容易となる。
２  磁石同士を直接吸着させれば、磁石自身をより小型化できる。
【００５４】
請求項７において、音響出力機器に付随する信号線に間隔をもって複数の永久磁石を固着し、その磁力により信号線同士及び耳殻に吸引固定する効果は
【００５５】
１  長さの余ったコードが浮動することが無くなる。
２  収納時にコード自身が吸着固定されるので、巻き取りなどしなくとも、絡まることが少なくなる。
３  特別な巻き取り器などが無くてもコードの絡まり防止が可能で、巻き取り器と比較しても低コストである。
【００５６】
以上の様な利点がある。
【発明を実施するための最良の形態】
【００５７】
本発明の１実施形態を示すものであり、基本的構成である。  
以下にその各要素を実施例において説明する。
【実施例１】
【００５８】
図１にイヤホン装着図を示し、基本構成を説明する。
【００５９】
イヤホン４を構成するドライバー４ａが筐体４ｂ内に固着され、信号線４ｃは筐体４ｂの外に引き出されている一般的なインナータイプのイヤホンの筐体４ｂに装具磁石２を埋め込み、筐体４ｂより２０〜３０ｍｍの距離にて信号線４ｃから連結線５を介して吸着磁石３が取り付けられている。
【００６０】
これを装着するときは、装具磁石２が耳殻１のくぼみ接触面になるように耳に挿入して、耳の裏に吸着磁石３をもって行くと磁石の吸引力により自然と吸着して装着が完了する。
【００６１】
イヤホン４を耳穴に押しつけて装着すると、密閉型のイヤホンとなり、耳穴から離して装着すると開放型のイヤホンとして機能する。
【００６２】
取り外して収納するときは左右のイヤホンを接近させるとお互いの磁力で吸着し合い、ポケット等に入れて持ち歩いてもコードは絡み合うことが少なくなる。
【００６３】
インナー型のイヤホンでは通常耳穴に柔らかいイヤーパッドを用いて嵌合摩擦力で保持しているが、本発明による構造では摩擦力による保持力は不要となるので、従来のイヤーパッド自身が不要となっている。
【００６４】
従来のイヤーパッドの柔軟性の代替のため筐体４ｂ自身を柔軟な素材で構成することも可能であり、柔軟な素材を利用しなくとも位置の調整のみで十分な密閉性も持つことができる。
【００６５】
装具磁石２と吸着磁石３にネオジム磁石５ｍｍ径×３ｍｍ厚の強力磁石を用いた場合は、固定力は強力であるが、２時間程度装着時に吸着圧力により多少の違和感を生じる。
【００６６】
装具磁石２に５ｍｍ径×２ｍｍ厚フェライト磁石と吸着磁石３にネオジム磁石５ｍｍ×径３ｍｍ厚の強力磁石を用いた場合は、固定力は適度にて、長時間装着時にても吸着圧力により違和感を生じることはなかった。
【００６７】
いずれの磁石を使った場合でも、頭を激しく振ったぐらいでは外れることはなく、コードを意識的に引き抜かなければ脱落する事はなかった。
【００６８】
また、イヤホン４、連結線５、吸着磁石３の形状はデザインにより材質、形状を加味して形状を決めればよい。
【実施例２】
【００６９】
図２に大型ヘッドホン装着図を示し、基本構成を説明する。
【００７０】
耳殻１と同程度の大きさのヘッドホン６の耳殻と接触する離れた３点を選定してヘッドホン６に装具磁石２を３個固定し、装具磁石２と同じ位置となるように吸着アダプター７に吸着磁石３を３個固定する。
【００７１】
ヘッドホン６の装具磁石２固定部および吸着アダプター７の材質は各々の磁石が耳殻により密着するように柔軟な素材を選定した方が良く、ヘッドホン６の装具磁石２固定部および吸着アダプター７は折り曲げ自在に一体としたものでも良い。
【００７２】
これを耳に装着するときは、吸着アダプター７を耳の後ろに引っかけてから、磁石の位置が合わさるようにヘッドホン６を耳殻１を挟み込み吸着させて装着する。
【００７３】
ヘッドホン６の自重によるが比較的軽量のものであれば、ネオジム磁石５ｍｍ径×３ｍｍ厚の強力磁石にて強力に固定することが出来、ヘッドホン６よりアームを伸ばして小型マイク程度は十分に保持することが出来る。
【００７４】
また、磁石の吸着位置、数量は必要に応じて調節すればよく、携帯電話等のハンズフリーマイクなどではマイクの位置決めを考慮しても２点の吸着で可能となる。
【実施例３】
【００７５】
図３に耳栓装着図を示し、基本構成とその概要を説明する。
【００７６】
耳栓本体となる遮音材８内に装具磁石２と吸着磁石３を連結線５で連結した装具磁石２を一体成形して、遮音材８と装具磁石２を一体化する。
【００７７】
これを装着するには、遮音材８を耳穴に密着させてから連結線５をたどり耳殻裏より吸着磁石３を装具磁石２位置近傍にもって行くとお互いの吸着力にて耳殻１を挟み込み吸着する。
【００７８】
遮音のレベルに応じて遮音材８の耳穴に対する密着度を調整して、装具磁石２を吸着させると調整した位置に長時間位置決めされることになり、耳穴と遮音材８による摩擦により位置決めししていないので、深くきつく挿入する必要はない。
【００７９】
連結線５は細く柔軟な物を利用することにより、枕に耳を押しつけても違和感は全くなく、抜け落ちることもない。
【００８０】
また遮音材８の材質はゆっくり復元する柔軟なスポンジで無くとも耐久性のあるシリコンゴム等などでも耳穴に密着した状態を維持できるので、用法に応じて選択できる。
【００８１】
また、取り外しに際して、指先でつまみ出す代わりに、紐等の特段のつまむものが無くとも磁石の吸引力で耳穴から引き出すことが出来るので、遮音性能のみを考慮して遮音材８を小型にすることが可能で、小型化するほど装着時の違和感も小さくなる。
【実施例４】
【００８２】
図４にメガネツル装着図を示し、概要を説明する。
【００８３】
耳殻１の上部斜め前の耳殻形状が袋状に巻いている箇所に内包する形状を合わせた吸着体１１に吸着磁石３を固定し、吸着磁石３と装具磁石２が耳殻１を挟み込んだ近接位置となるようメガネ９を支持するツル１０の端部に装具磁石２を固定する。
【００８４】
これを装着するときは、吸着体１１を耳殻１の上部斜め前の耳殻形状が袋状に巻いている箇所に嵌め込み、メガネ９を懸けて支持するツル１０の端部に装具磁石２が吸着磁石３に引き合わせる。
【００８５】
引き合わせたら、磁石により耳殻１の定点が左右二点と鼻当て一点の三点にてメガネは頭蓋に対して位置が決まりずれることはなくなる。
【００８６】
吸着体１１の形状は大まかに袋状に巻いている箇所に合わせるか、可塑性を持つ材料で任意形状を変形される物が適当であり、さらに粘着性があれば耳殻１に仮に固定され都合がよく、吸着体１１の形状そのものを磁石形状としても良い。
【００８７】
連結線５は吸着体１１の紛失防止の為だけなので、不要であれば無くてもよく、ツル１０端部に折り曲げ自在の素材で吸着体１１を構成しても良くメガネを掛けてから吸着体１１を耳殻１に装着すればよい。
【００８８】
この方法で装着すると、金属フレームのメガネであってもツル１０の頭皮に対する摩擦力によって位置決めされるのでは無いため、メガネが前後に振動や汗で移動することが無く、鼻当て部の位置が決まるため上下にもずれることはなくなる。
【００８９】
また、この方法ではメガネ９とツル１０の蝶番に開き止めのストッパーは不要となり、メガネフレーム自体に頭部を挟み込む剛性が必要ないためフレームを簡略化可能となる。
【実施例５】
【００９０】
図５にメガネレンズ装着図を示し、概要を説明する。
【００９１】
メガネレンズ１２より糸または紐状の連結材１３にて装具磁石２を保持し、実施例４と同様の手法にて吸着体１１とを具備させる。
【００９２】
糸または紐状の連結材１３は剛性が無くとも、メガネレンズ１２の二点と吸着磁石３の三点による三角形はメガネレンズ１２を耳の方向に引き寄せる方向で張力が働き、左右一対の三角形にてメガネレンズ１２は鼻当てを支点として、張力のみにて角度と位置を固定することが出来る。
【００９３】
メガネフレームは左右の連結と鼻当て部のみでフレームは必要なく、頭部を挟み込むための曲げ応力も不要なのでレンズ１２に加わる応力も低減される。
【００９４】
また必要に応じ、メガネレンズ１２の上下方向の位置決め補助として額に対する汗止めを用意すれば激しい上下振動に対しても確実なメガネレンズ１２の位置決めが可能となる。
【００９５】
糸または紐状の連結材１３はメガネレンズ１２に対して長さ調節により吸着磁石３の位置とメガネレンズ１２の位置角度が決定されるので、フィッティングも容易となり、連結材１３に伸縮性を持たせると位置誤差を長さの伸縮にて吸収させることも可能である。
また、装飾用金属チェーンにてこれを構成することも可能である。
【００９６】
左右のレンズ結合部を折り曲げまたは分解可能な構造とすることで、レンズ一枚分の面積に折りたたみ収納も可能となり、持ち運び時にコンパクトにすることが出来き、左右のレンズと鼻当て部を一体成形してコスト低減を図ることも可能となる。
【００９７】
実際の装着感は紐状の連結材１３を用いた物では、軽量化と側頭部に加わる接触感が無いので装着が殆ど感じられないくらいであり、頭部を激しく振ってもずれることもなかった。
【実施例６】
【００９８】
図６に永久磁石の磁極配置図を示し、概要を説明する。
【００９９】
装具磁石２および吸着磁石３の形状を円形簿板型とし、各々の磁極の構成を平板方向にＳ極とＮ極となるように着磁したものとし、耳殻１の構成する軟骨１ａ及び皮膚１ｂ挟みこみ吸着するようにする。
【０１００】
耳殻１面に磁極が直交して分極させた場合は単極が吸着磁力となり他極が開放となり磁力線が吸着力に寄与せず磁力線が広がることになるので、耳殻１面に磁極が平行に分極させることで、耳殻１を透過する磁力線は両極が最短となるので、吸着力が強く磁力線の広がりも少なくて済む。
【０１０１】
また、磁力線が吸着面にＳ極とＮ極の非対称となり、装具磁石２および吸着磁石３の回転変位を摩擦力によらず磁力にて回転防止する働きも生じる。
【０１０２】
磁石形状が円形以外の場合で、長円形などに形状を工夫した場合は吸着時に磁石の向きが一定方となるので位置決め効果が高まる。
【実施例７】
【０１０３】
図７に永久磁石の磁気回路配置図を示し、これを説明する。
【０１０４】
装具磁石２および吸着磁石３の形状を円形簿板型とし、各々の磁極の構成を平板両面にＳ極とＮ極となるように着磁し、カップ状の磁性体１４にて反対面の磁力線を反対極と同一面に導き、耳殻１の構成する軟骨１ａ及び皮膚１ｂ挟みこみ吸着するようにする。
【０１０５】
磁石の磁力を磁性体１４の磁気回路で吸着面に集中させることで、強い吸着力と磁力の漏洩が防げる。
【実施例８】
【０１０６】
図８に永久磁石の耳殻固定図を示し、これを説明する。
【０１０７】
実施例７と同様な磁気回路を構成した磁気回路に針状の雄ネジを立てた物を固定金具１５とし、耳殻１の構成する軟骨１ａ及び皮膚１ｂを貫通して押さえ金具１６にて挟みこみ耳殻１に機械的に固定する。
【０１０８】
機械的に固定された固定金具１５の吸着磁石３に対し、機器装具に固定された磁性体１４により磁気回路を構成された装具磁石２をお互いの吸着面を磁気吸着して機器装具を耳殻１に固定する。
【０１０９】
吸着面は磁気回路による高い磁束密度をもって密着し、強力な密着力と閉じた磁気回路となり磁気漏洩が小さくなる。
【０１１０】
本実施例では、耳殻への機械的固定法を耳殻に穿孔して装飾ピアスと同様な手法としているが、バネの構造体によるクリップ、ネジ締め等の手段によっても可能である。
【０１１１】
また、機器装具を装着しないときは、固定金具１５に装飾品を吸着させておくことも出来る。
【実施例９】
【０１１２】
図９に永久磁石取り付け信号線固定図を示し、これを説明する
【０１１３】
イヤホン４に付随する信号線４ｃの随所にスライド磁石１７を固着または線上を移動可能に設置し、余った信号線４ｃを束ねてスライド磁石１７同士を吸着させて余った信号線４ｃの浮動を抑制する。
【０１１４】
束ねた信号線４ｃが浮動する場合はさらにイヤホン４装着のための吸着磁石３にスライド磁石１７に吸着させ浮動を抑制する。
【０１１５】
スライド磁石１７に利用する磁石は比較的弱い磁力でも浮動抑制する程度の吸着力はあるので、触感及び信号線４ｃ外皮に摩擦により位置の固定が出来るゴム磁石が適当であるが、磁石部形状を小型化するには強力磁石を埋め込み利用する。
【０１１６】
また、スライド磁石１７を信号線４ｃ外皮に取り付け及び取り外しが容易にするため、断面がＣ状の筒状としても良い。
【０１１７】
また、信号線４ｃ外皮にフェライト粉末を混合させ着磁しても機能を果たせ、外観上一般のコードと変わりなく凸凹がなく引っかかりも抑制できる。
【０１１８】
また、収納時は巻き取らなくとも、丸めるだけでスライド磁石１７同士が吸着して、丸めたままの形状を磁力により保持するのでポケットなどに不用意に入れて置いても振動等により絡まる事が少なくなる。
【０１１９】
また、収納時に磁性体である容器等に吸着させて置くことで、より絡み防止になる。
【産業上の利用可能性】
【０１２０】
本発明により構成された器具及び方法は、構造が簡単で製造コストは少なく、耐久性も高い。
利用可能用途別に以下に列記する。
【０１２１】
Ａ  音響機器の利用
１  イヤホンが小型に出来、長時間の使用に際しても疲労しない製品となる。
２  収納時及び装着時に信号線であるコードが絡みにくい製品となる。
【０１２２】
Ｂ  遮音用耳栓の利用
１  小型化にて長時間の使用にて疲労が少ない製品となる。
２  紛失の防止
【０１２３】
Ｃ  メガネ装着の利用
１  メガネフレーム軽量化による省資源化が計れる。
２  軽量化と圧迫感の減少にて長時間使用しても疲労が少ない製品となる。
３  激しい運動などでもメガネのズレ、脱落が起きない製品となる。
４  ピアス状アタッチメントでワンタッチ装着など製品の付加価値を高める。
【図面の簡単な説明】
【０１２４】
【図１】イヤホン装着図（実施例１）
【図２】大型ヘッドホン装着図（実施例２）
【図３】耳栓装着図（実施例３）
【図４】メガネツル装着図（実施例４）
【図５】メガネレンズ装着図（実施例５）
【図６】永久磁石の磁極配置図（実施例６）
【図７】永久磁石の磁気回路配置図（実施例７）
【図８】永久磁石の耳殻固定図（実施例８）
【図９】永久磁石取り付け信号線固定図（実施例９）
【符号の説明】
【０１２５】
１  耳殻
１ａ  軟骨
１ｂ  皮膚
２  装具磁石
３  吸着磁石
４  イヤホン
４ａ  ドライバー
４ｂ  筐体
４ｃ  信号線
５  連結線
６  ヘッドホン
７  吸着アダプター
８  遮音材
９  メガネ
１０  ツル
１１  吸着体
１２  メガネレンズ
１３  連結材
１４  磁性体
１５  固定金具
１６  押さえ金具
１７  スライド磁石
【図１】
2011023974.tif 000003
【図２】
2011023974.tif 000004
【図３】
2011023974.tif 000005
【図４】
2011023974.tif 000006
【図５】
2011023974.tif 000007
【図６】
2011023974.tif 000008
【図７】
2011023974.tif 000009
【図８】
2011023974.tif 000010
【図９】
2011023974.tif 000011